(57)【特許請求の範囲】
【請求項１】
基地局と通信端末間で、複数ある利用可能なスロットの全てを使用するマルチパケット通信中に、当該通信端末に対する前記基地局からの音声又はメールによる着信通知があったとき、使用中のスロットの切断を行っても着信に応答できなかった場合に、少なくとも１つのスロットを空けてパケット通信を継続する再接続制御を行う再接続制御部を備えることを特徴とする再接続制御装置。
【請求項２】
前記少なくとも１つのスロットを空けてパケット通信を継続するための所定時間を記憶する記憶部と、前記パケット通信の継続時間を計るタイマーと、を備え、
前記再接続制御は、前記所定時間の間、前記パケット通信を継続することを特徴とする請求項１に記載の再接続制御装置。
【請求項３】
スロット毎に電界強度を測定し前記スロット毎の通信状態を監視する通信状態監視部を備え、
前記再接続制御は、前記測定されたスロット毎の各電界強度による制御を行うことを特徴とする請求項１又は２に記載の再接続制御装置。
【請求項４】
測定された前記電界強度が最も大きいスロットを残して、その他のスロットを切断し、前記パケット通信を継続することを特徴とする請求項３に記載の再接続制御装置。
【請求項５】
測定された前記電界強度が最も大きいスロットを残して、その他のスロットのパケットを１スロットずつ順番に切断し、切断にかかった時間を計測し、
前記パケット切断時に最も時間のかかったスロット以外を再接続して、通信を継続することを特徴とする請求項３に記載の再接続制御装置。
【請求項６】
請求項１〜５のいずれかの再接続制御装置を備えることを特徴とする通信端末。
【請求項７】
基地局と通信端末間で、複数ある利用可能なスロットの全てを使用するマルチパケット通信中に、当該通信端末に対する前記無線基地局からの音声又はメールによる着信通知があったとき、使用中のスロットの切断を行っても、着信に応答できなかった場合に、少なくとも１つのスロットを空けてパケット通信を続行する再接続制御を行うことを特徴とする再接続制御方法。
【請求項８】
前記再接続制御は、前記パケット通信を継続する所定時間と、前記パケット通信の時間を計ることにより、時間による制御を行うことを特徴とする再接続制御方法。
【請求項９】
前記再接続制御は、スロット毎に電界強度を測定し、測定されたスロット毎の各電界強度による制御を行うことを特徴とする請求項７又は８に記載の再接続制御方法。
【請求項１０】
測定された前記電界強度が最も大きいスロットを残して、その他のスロットを切断し、前記パケット通信を継続することを特徴とする請求項９に記載の再接続制御方法。
【請求項１１】
測定された前記電界強度が最も大きいスロットを残して、その他のスロットのパケットを１スロットずつ順番に切断し、切断にかかった時間を計測し、
前記パケット切断時に最も時間のかかったスロット以外を再接続して、通信を継続することを特徴とする請求項９に記載の再接続制御方法。
【発明の詳細な説明】
【技術分野】
【０００１】
本発明は、通信端末、通信端末における再接続制御方法および再接続制御装置に関し、特に、ＴＤＭＡ（Time Division Multiplex Access）通信方式の通信端末におけるマルチパケット通信中に音声又はメールによる着信通知があった場合に再接続制御を行う、通信端末、通信端末における再接続制御方法および再接続制御装置に関する。
【背景技術】
【０００２】
ＴＤＭＡ通信方式において、同一の通信端末に対して同一無線周波数内の複数のスロットを割り当てて通信を行うことにより、データ通信の時間短縮を行う通信方法が用いられる（例えば、特許文献１参照）。このように、複数のスロットを割り当てて通信を行うマルチパケット（又はマルチスロットとも云う）通信を実行しているとき、基地局からの着信通知があった際の通信端末におけるスロットの遮断方法について以下説明する。
【０００３】
図６は、従来のＰＨＳ通信方式のＴＤＭＡフレーム構成及びマルチパケット通信におけるスロット切断及び着信の状態（ａ）〜（ｃ）を示す図であり、図７は、そのシーケンス図である。
【０００４】
図６（ａ）〜（ｃ）に示すように、ＰＨＳ通信方式におけるＴＤＭＡフレームはスロット１，２，３，４の４個のスロットを１単位として、スロット１〜４が複数個連続している。複数の基地局及び複数の通信端末で構成され、該通信端末は基地局との間で、複数のスロット（４個）の全てのスロットを使用して、マルチパケット通信が行われている。
図６（ａ）は、マルチパケット通信中の各スロットとＴＤＭＡフレームの状態を示し、全てのスロットを使用してマルチパケット通信が実行されている。
【０００５】
図６（ａ）の状態で、基地局から当該通信端末に対する音声又はメールによる（第１回目の）着信通知があったとき（図７のＳ２１）、１スロット（例えば、通信状態の最も良いスロット３）を残して、他のスロット（スロット１，２，４）のパケットを切断し、パケット網はこの切断に対する応答を行い（Ｓ２２）、図６（ｂ）の状態となる。
【０００６】
スロット３以外を切断して空きスロットとしたため、空きスロットのいずれかのスロットで音声又はメールの着信への応答が行われる（Ｓ２３）。（なお、ＰＨＳ通信方式では、パケット通信と、音声通話は使用するスロットが異なっていても同時にはできないので、音声通話をする場合には、パケット通信を切断することになる。）
【０００７】
上記音声又はメールの着信への応答が終わると、切断したスロット１，２，４を再び接続して（Ｓ２４）、図６（ｃ）に示すように、再び全てのスロットを使用してマルチパケット通信が実行される。
【０００８】
【特許文献１】特開平９−１８７０６５号公報
【発明の開示】
【発明が解決しようとする課題】
【０００９】
ところが、従来のマルチパケット通信では、マルチパケット通信中に音声又はメールの着信通知があった場合、Ｓ２２のパケットの切断の処理に時間がかかり過ぎると（例えば、無線状態が悪い環境などの場合）、（第１回目の）Ｓ２１の着信通知に対する応答が間に合わなくなる。すなわち、（第１回目の）Ｓ２１の着信通知を受けてスロットを空けても、応答が間に合わず着信できないことになる。
【００１０】
従来のマルチパケット通信では、上記音声又はメールの着信ができなくても、再び全てのスロットを使用したマルチパケット通信が実行されるため、第２回目以降の着信があった場合、Ｓ２２と同様のスロットの切断処理が行われ、第２回目以降の着信通知に対する応答も間に合わない可能性が高い。
【００１１】
このため、無線状態が悪い状態が続くなどパケット切断処理に時間がかかる環境下では、しばらく着信できない状態が続く可能性がある。例えば、最初に掛かってきた電話が着信できなかった場合、電話を掛けてきた相手が再び掛け直しても同様に着信できない状態が続くため、何度掛け直しても電話が掛からないという問題があった。
【００１２】
本発明は、上記のような従来の問題に着目してなされたものであり、無線状態が悪い環境などパケットの切断に時間がかかり過ぎる環境下において、マルチパケット通信中に音声又はメールの着信通知があった場合、この着信に対する応答ができなくなるという問題を解消することができる通信端末、通信端末における再接続制御方法および再接続制御装置を得ることを目的とする。
【課題を解決するための手段】
【００１３】
前記課題を解決するために、本発明に係る再接続制御装置は、基地局と通信端末間で、複数ある利用可能なスロットの全てを使用するマルチパケット通信中に、当該通信端末に対する前記基地局から音声又はメールによる着信通知があったとき、使用中のスロットの切断を行っても着信に応答できなかった場合に、少なくとも１つのスロットを空けてパケット通信を継続する再接続制御を行う再接続制御部を備えることを特徴とする。
この構成により、マルチパケット通信中に音声又はメールによる着信通知があった場合に、この着信に対する応答ができなくても、少なくとも１つのスロットを空けてパケット通信を継続するので、再び音声又はメールによる着信通知があった時点で空きスロットが存在するので、すぐに着信への応答ができる。
【００１４】
また、本発明に係る再接続制御装置は、前記少なくとも１つのスロットを空けてパケット通信を継続するための所定時間を記憶する記憶部と、前記パケット通信の継続時間を計るタイマーと、を備え、前記再接続制御は、前記所定時間の間、前記パケット通信を継続することを特徴とする。
この構成により、相手先からの音声又はメールの発信が再び行われる可能性がある所定時間の間、空きスロットが存在するので、再び音声又はメールによる着信通知があった時点ですぐに着信への応答ができる。
【００１５】
また、本発明に係る再接続制御装置は、スロット毎に電界強度を測定し前記スロット毎の通信状態を監視する通信状態監視部を備え、前記再接続制御は、前記測定されたスロット毎の各電界強度による制御を行うことを特徴とする。
この構成により、スロット毎に電界強度を測定して電界強度が大きい（通信状態の良い）スロットを見つけることができるので、電界強度の大小（通信状態の良し悪し）によって再接続制御を行うことができる。
【００１６】
また、本発明に係る再接続制御装置は、測定された前記電界強度が最も大きいスロットを残して、その他のスロットを切断し、前記パケット通信を継続することを特徴とする。
この構成により、電界強度が最も大きいスロットを残してパケット通信を継続するので、安定したパケット通信を継続することができる。
【００１７】
また、本発明に係る再接続制御装置は、測定された前記電界強度が最も大きいスロットを残して、その他のスロットのパケットを１スロットずつ順番に切断し、切断にかかった時間を計測し、前記パケット切断時に最も時間のかかったスロット以外を再接続して、通信を継続することを特徴とする。
この構成により、切断時に最も時間のかかったスロットを再接続しないので、スロットの切断に掛かる時間を短縮できる。
【００１８】
本発明に係る通信端末は、請求項１〜５のいずれかの再接続制御装置を備えることを特徴とする。
これにより、通信端末において、マルチパケット通信中に音声又はメールによる着信通知があった場合に、この着信に対する応答ができなくても、再び音声又はメールによる着信通知があった時点で空きスロットが存在するので、すぐに着信への応答ができる。
【００１９】
本発明に係る再接続制御方法は、基地局と通信端末間で、複数ある利用可能なスロットの全てを使用するマルチパケット通信中に、当該通信端末に対する前記無線基地局から音声又はメールによる着信通知があったとき、使用中のスロットの切断を行っても、着信に応答できなかった場合に、少なくとも１つのスロットを空けてパケット通信を続行する再接続制御を行うことを特徴とする。
これにより、マルチパケット通信中に音声又はメールによる着信通知があった場合に、この着信に対する応答ができなくても、少なくとも１つのスロットを空けてパケット通信を継続するので、再び音声又はメールによる着信通知があった時点で空きスロットが存在するので、すぐに着信への応答ができる。
【００２０】
また、本発明に係る再接続制御方法は、前記再接続制御は、前記パケット通信を継続する所定時間と、前記パケット通信の時間を計ることにより、時間による制御を行うことを特徴とする。
これにより、相手先からの音声又はメールの発信が再び行われる可能性がある所定時間の間、空きスロットが存在するので、再び音声又はメールによる着信通知があった時点ですぐに着信への応答ができる。
【００２１】
また、本発明に係る再接続制御方法は、前記再接続制御は、スロット毎に電界強度を測定し、測定されたスロット毎の各電界強度による制御を行うことを特徴とする。
これにより、スロット毎に電界強度を測定して電界強度が大きい（通信状態の良い）スロットを見つけることができるので、電界強度の大小（通信状態の良し悪し）によって再接続制御を行うことができる。
【００２２】
また、本発明に係る再接続制御方法は、測定された前記電界強度が最も大きいスロットを残して、その他のスロットを切断し、前記パケット通信を継続することを特徴とする。
これにより、電界強度が最も大きいスロットを残してパケット通信を継続するので、安定したパケット通信を継続することができる。
【００２３】
また、本発明に係る再接続制御方法は、測定された前記電界強度が最も大きいスロットを残して、その他のスロットのパケットを１スロットずつ順番に切断し、切断にかかった時間を計測し、前記パケット切断時に最も時間のかかったスロット以外を再接続して、通信を継続することを特徴とする。
これにより、切断時に最も時間のかかったスロットを再接続しないので、スロットの切断に掛かる時間を短縮できる。
【発明の効果】
【００２４】
以上の通信端末、通信端末における再接続制御方法および再接続制御装置によれば、無線状態が悪い環境などパケットの切断に時間がかかり過ぎる環境下において、マルチパケット通信中に音声又はメールの着信通知があった場合、この着信に対する応答ができなくなるという問題を解消することができる。
【発明を実施するための最良の形態】
【００２５】
以下に、本発明の実施の形態を、図面を参照しながら説明する。
本実施の形態に係る通信端末はＰＨＳ通信方式の通信端末である。ＰＨＳ通信方式におけるＴＤＭＡフレームはスロット１，２，３，４の４個のスロットを１単位として、スロット１〜４が複数個連続している。ＰＨＳ通信方式では、複数の基地局及び複数の端末で構成され、端末は基地局との間で、複数のスロット（４個）の全てのスロットを使用して、マルチパケット通信を行う。
【００２６】
図１は、本発明の実施の形態に係る再接続制御装置を備えた通信端末１０の要部の構成を示すブロック図である。図１において、通信端末１０は、通信制御部１、スロット制御部２、再接続制御装置３、通信データ処理部４を備える。
【００２７】
通信データは、通信制御部１によって、ＴＤＭＡフレームの各タイミング毎にスロット１〜４に割当てられ、各スロット制御部２に送出する。前記各スロット１〜４のスロット制御部２では、通信制御部１から送出されたデータを通信データ処理部５に送出する。
【００２８】
再接続制御装置３は、各スロットの切断・再接続の制御を行い、通信状態監視部３−１、記憶部３−２、再接続制御部３−３、タイマー３−４を備える。
【００２９】
通信端末１０がマルチパケット通信中に、通信制御部１が着信通知を基地局から受信すると、通信状態監視部３−１に通知する。通知を受けた通信状態監視部３−１は、スロット毎に電界強度を測定し、スロット毎の通信状態を監視する。
再接続制御部３−３は、測定された電界強度が最も大きく通信状態の最も良いスロットを残して、その他のスロットのパケットを１スロットずつ順番に切断する。
更に再接続制御部３−３は、１スロットのみで、データ通信を所定の時間継続させるように制御する。あるいは、パケット切断時に最も時間のかかったスロット以外を再接続させ、３つのスロットによるマルチパケット通信を行い、通信を継続させるように制御する。
タイマー３−４は、上記データ通信の継続時間を計る。
通信制御部１は、残されたスロットを使用して、音声又はメールの着信を行う。
記憶部３−２は、残されたスロットのみでデータ通信を継続する所定の時間などを記憶する。
【００３０】
次に、本発明の実施の形態に係る通信端末の動作について説明する。
図２は本発明の実施の形態に係る通信端末における再接続制御装置による第１の再接続制御方法を説明する各スロットとＴＤＭＡフレームの状態を示す図であり、図３は図２のシーケンス図である。
【００３１】
図２（ａ）の状態で、全て（４個）のスロットを使用してデータ通信が実行されている場合に、図３のシーケンス図に示すように、音声又はメールによる着信通知（Ｓ１）がある。このとき、着信の状態を確認するための空きスロットが無い。まず、通信状態監視部３−１は各スロットの電界強度を測定し、各スロット通信状態を監視する。そして、着信通知を受けて、再接続制御部３−３の制御により、図２（ｂ）に示すように、通信状態の最も良い（電界強度が最も大きい）スロット（例えば、スロット３）のみを残して、残りのスロット（スロット１，２，４）のパケットを１スロットずつ順番に切断する。これを受けて、パケット網から切断の応答がある（Ｓ２）。
【００３２】
スロット３以外を切断して空きスロットとしたため、空きスロットのいずれかのスロットで音声又はメールの着信への応答が行われる（Ｓ３）。しかし、このときＳ２のパケット切断の処理に時間がかかり過ぎるとＳ１の着信に対する応答が間に合わない（例えば、ＴＴＣ標準ＪＴ−Ｑ９３１の規定では８秒以内）。
【００３３】
次に、図２（ｃ）に示すように、Ｓ２で残した１スロット（例えば、スロット３）のみで、データ通信を所定の時間継続する（Ｓ４）。このとき、タイマー３−４がデータ通信の継続時間を計り、所定の時間が過ぎると、再び全てのスロットを接続して、全て（４個）のスロットを使用したデータ通信が実行される。この所定の時間は、予め記憶部３−２に記憶されており、例えば、音声電話をかけ直すまでの時間（３０秒〜１分程度）とする。
【００３４】
そして、この１スロットのみでデータ通信継続中に、音声又はメールによる着信通知（Ｓ５）があると、このＳ５の着信通知が到着した時点で、空きスロットがあるのでパケット切断の処理が不要のため、速やかにＳ５の着信通知に対する応答が実行される（Ｓ６）。
【００３５】
次に、本発明の実施の形態に係る通信端末における再接続制御装置による第２の再接続制御方法を説明する。
図４は本発明の実施の形態に係る通信端末における再接続制御装置による第２の再接続制御方法を説明する各スロットとＴＤＭＡフレームの状態を示す図であり、図５は図４のシーケンス図である。
【００３６】
図４（ａ）の状態で、全て（４個）のスロットを使用してデータ通信が実行されている場合に、図５のシーケンス図に示すように、音声又はメールによる着信通知（Ｓ１１）がある。このとき、着信の状態を確認するための空きスロットが無い。まず、通信状態監視部３−１は各スロットの電界強度を測定し、各スロット通信状態を監視する。そして、着信通知を受けて、再接続制御部３−３の制御により、図４（ｂ）に示すように、測定された電界強度が最も大きく通信状態の最も良いスロット（例えば、スロット３）のみを残して、その他のスロット（スロット１，２，４）のパケットを１スロットずつ順番に切断し、パケット網から切断の応答がある（Ｓ１２）。このとき、通信状態監視部３−１は切断にかかった時間を計測する。
【００３７】
スロット３以外を切断して空きスロットとしたため、空きスロットのいずれかのスロットで音声又はメールの着信への応答が行われる（Ｓ１３）。しかし、このときＳ１２のパケット切断の処理に時間がかかり過ぎるとＳ１１の着信に対する応答が間に合わない。
【００３８】
次に、再接続制御部３−３の制御により、図４（ｃ）に示すように、上記パケット切断時に最も時間のかかったスロット（例えば、スロット１）以外（スロット２，４）を再接続し（Ｓ１４）、３つのスロット（スロット２，３，４）によるマルチパケット通信を行い、通信を継続する（Ｓ１５）。
【００３９】
そして、データ通信継続中に、音声又はメールによる着信通知（Ｓ１６）があると、この着信通知が到着した時点で、空きスロット１があるのでパケット切断の処理が不要のため、速やかにＳ１６の着信通知に対する応答が実行される（Ｓ１７）。また、ＰＨＳ通信方式では、パケット通信と、音声通話は使用するスロットが異なっていても同時にはできないので、音声通話をする場合にはパケット通信を切断するため、前回のパケット切断時に最も時間のかかったスロット１を切断する必要が無く、パケット切断の時間を短縮することができる。
【図面の簡単な説明】
【００４０】
【図１】本発明の実施の形態に係る再接続制御装置を備えた通信端末の要部の構成を示すブロック図である。
【図２】本発明の実施の形態に係る通信端末における再接続制御装置による第１の再接続制御方法を説明する各スロットとＴＤＭＡフレームの状態を示す図である。
【図３】図２の動作シーケンスを説明する図である。
【図４】本発明の実施の形態に係る通信端末における再接続制御装置による第２の再接続制御方法を説明する各スロットとＴＤＭＡフレームの状態を示す図である。
【図５】図４の動作シーケンスを説明する図である。
【図６】従来のＰＨＳ通信方式のＴＤＭＡフレーム構成及びマルチパケット通信におけるスロット切断及び着信の状態を示す図である。
【図７】図６の動作シーケンスを説明する図である。
【符号の説明】
【００４１】
１０  通信端末は
１  通信制御部
２  スロット制御部
３  再接続制御装置
３−１  通信状態監視部
３−２  記憶部
３−３  再接続制御部
３−４  タイマー
４  通信データ処理部
【図１】
0005041922.tif 000002
【図２】
0005041922.tif 000003
【図３】
0005041922.tif 000004
【図４】
0005041922.tif 000005
【図５】
0005041922.tif 000006
【図６】
0005041922.tif 000007
【図７】
0005041922.tif 000008